(57)【要約】  【課題】  比較的簡単な構造の専用工具で締め付け、緩めを行うことができ、構造が比較的簡単な改良でなし得る、盗難や悪戯などの不正行為を防止し得る、不正行為防止ボルト・ナットの構造を提供する。  【解決手段】  円筒部４のネジ部５の先端にネジ部５の外径より小寸法の突起部６を備えるボルト１と、外径と同心に多角形の穴８を備える多角穴付き丸ナット２とを備えて構成される。  【選択図】        図１
2005330992.tif 000002
【特許請求の範囲】
【請求項１】
円筒部のネジ部の先端にネジ部の外径より小寸法の突起部を備えるボルトと、外径と同心に多角形の穴を備える多角穴付き丸ナットとを備えて構成されてなることを特徴とする不正行為防止ボルト・ナットの構造。
【請求項２】
小寸法の突起部の形状が円柱形に形成され、多角形の穴の形状が四角形又は六角形に形成されてなる請求項１に記載の不正行為防止ボルト・ナットの構造。
【請求項３】
多角穴付き丸ナットの多角形の穴に嵌合する先端部を有し、その先端部の中心軸部にボルト先端に形成した小寸法の突起部と嵌合する穴を備えるレンチによりボルトへのナットの取付け、取外しが行える請求項１に記載の不正行為防止ボルト・ナットの構造。
【発明の詳細な説明】
【技術分野】
【０００１】
本発明は、不正行為防止ボルト・ナットの構造に関し、詳細には一旦締結せしめたナットが、ボルト先端部に形成した突起と嵌合する穴を先端部に有する多角棒レンチ（例えば四角棒レンチ、六角棒レンチなど）を使用しないと緩めることができない構造を備えるボルト・ナットの構造に関するものである。なお、以下の説明では、本発明を理解し易く説明するため道路等に設置されている溝蓋を例に説明する。
【背景技術】
【０００２】
従来より、道路等の側溝、暗渠及び集水ますなどのＵ字溝には、鋳鉄製、鋼製又はアルミニウム製などの金属製の溝蓋がボルトにナットを締め付けて取付けられている。このようにして用いられるボルトやナットは六角形又は四角形を基本としたもので、スパナやボックスレンチ又は棒レンチなどの一般に汎用されている工具で簡単に締め付け、緩めを行うことができる。このため、ボルトやナットを取り除いて溝蓋が盗難されたり、盗難されないまでも悪戯でボルトやナットが取り除かれたり、緩められたりされる場合がある。
【０００３】
上記のような盗難や悪戯といった不正行為をそのまま見過ごして、溝蓋が無い状態を放置しておくと、溝蓋の無いＵ字溝部分に人又は自動車などが落っこちたりする事故が懸念される。また、溝蓋が固定されていない状態を放置しておくと、自動車などが通った際にガタガタと音を発したり、あるいは溝蓋がＵ字溝から飛び跳ねて、他の自動車又は人などに当たるなど思わぬ事故を起こすことが懸念される。
【発明の開示】
【発明が解決しようとする課題】
【０００４】
本発明は、上記の実状を改善するためになしたものであって、その目的は、比較的簡単な構造の専用工具で締め付け、緩めを行うことができ、構造が比較的簡単な改良でなし得る、盗難や悪戯などの不正行為を防止し得る、不正行為防止ボルト・ナットの構造を提供するものである。
【課題を解決するための手段】
【０００５】
上記の目的を達成するために、本発明（請求項１）に係る不正行為防止ボルト・ナットの構造は、円筒部のネジ部の先端にネジ部の外径より小寸法の突起部を備えるボルトと、外径と同心に多角形の穴を備える多角穴付き丸ナットとを備えて構成されてなるものである。
【０００６】
そして、本発明（請求項２）に係る不正行為防止ボルト・ナットの構造は、上記請求項１の不正行為防止ボルト・ナットの構造において、小寸法の突起部の形状が円柱形に形成され、多角形の穴の形状が四角形又は六角形に形成されたものである。
【０００７】
また、本発明（請求項３）に係る不正行為防止ボルト・ナットの構造は、上記請求項１の不正行為防止ボルト・ナットの構造において、多角穴付き丸ナットの多角形の穴に嵌合する先端部を有し、その先端部の中心軸部にボルト先端に形成した小寸法の突起部と嵌合する穴を備えるレンチによりボルトへのナットの取付け、取外しが行えるものである。
【発明の効果】
【０００８】
本発明に係る不正行為防止ボルト・ナットの構造は、ボルトが円筒部のネジ部の先端にネジ部の外径より小寸法の突起部を備え、このボルトのネジ部に螺合させるナットが外径と同心に多角形の穴を備える多角穴付き丸ナットで構成されているので、ボルトのネジ部に丸ナットを締め付ける場合、まずスパナやボックスレンチは丸ナットにかからないため使用できない。また棒レンチは、前記ボルトの先端部の突起部が棒レンチの先端に当たるため丸ナットの多角穴に嵌入できず、それ以上に締め付けをすることができない。一方、ボルトのネジ部に締め付けた丸ナットを緩める場合、前記締め付ける場合と同様、まずスパナやボックスレンチは丸ナットにかからないため使用できない。また棒レンチは、前記ボルトの先端部の突起部が工具の先端に当たるため丸ナットの多角穴に嵌入できず、使用できない。従って、本発明に係る不正行為防止ボルト・ナットの構造によれば、構造が比較的簡単な改良でもって盗難や悪戯などの不正行為が防止できる。また、比較的簡単な構造の専用工具でもって締め付け、緩めを行うことができる。
【発明を実施するための最良の形態】
【０００９】
以下、本発明の実施形態を図面に基づいて説明する。図１は、本発明に係る不正行為防止ボルト・ナットの構造の説明図であって、ａは正面図、ｂは右側面図、ｃは左側面図である。図において、１はボルト、２は六角穴付き丸ナットである。
【００１０】
ボルト１は、頭部３と円筒部４及びその円筒部４にネジ部５を形成して備えるとともに、そのネジ部５の先端にネジ部５の外径より小寸法の円柱状の突起部６が形成されたものである。なお、頭部３は、アンカーボルトなど埋設構造とする場合には無くてもよいし、また適宜の形状に形成されてあってもよい。
【００１１】
六角穴付き丸ナット２は、中空の丸棒状材であって、本例では大小２つの外径により二段に形成され、小径側の中空部には上記ボルト１のネジ部５に螺合するネジ部７が形成され、大径側の中空部には後記の専用工具である六角棒レンチ９が嵌入する六角穴８が形成されている。なお、外観は二段の円柱状体としたが、円柱体で有ってもよい。
【００１２】
六角棒レンチ９は、上記六角穴付き丸ナット２の六角穴８に嵌入し得る断面形状の六角棒をＬ字状に形成したものであって、その両先端部１０、１１には、上記ボルト１の円柱状突起部６が嵌入、収容し得る大きさの穴１２が形成されている。なお、円柱状突起部６と穴１２の断面形状は、円形に限定されるものではなく、四角形や六角形などの多角形であってもよいし、突起部６と穴１２の断面形状が異なっていてもよい。要は突起部６が穴１２に嵌入し得る大きさの組合せであればよい。
【００１３】
上記構成の六角穴付き丸ナット２は、そのネジ部７をボルト１のネジ部５に螺合して取付け、最終的には六角穴８に六角棒レンチ９の先端部１０（又は１１）を嵌入し締め付けて取付けられる。この締め付けの際にボルト１の円柱状突起部６は、六角棒レンチ９の先端部１０（又は１１）の穴１２に嵌入、収容される。一方、ボルト１に締め付けて取付けられた六角穴付き丸ナット２を緩めて取外すには、六角棒レンチ９の先端部１０（又は１１）を六角穴付き丸ナット２の六角穴８に、及び六角棒レンチ９の先端部１０（又は１１）の穴１２にボルト１の円柱状突起部６を嵌入、収容した後、この状態で前記取付ける場合と逆の操作によって緩め取外す。従って、六角棒レンチ９の先端部１０（又は１１）に穴１２が形成されていない従来より汎用されている六角棒レンチでは、六角穴付き丸ナット２のボルト１への締め付けや緩めができない。
【００１４】
図２は、本発明に係る不正行為防止ボルト・ナットの構造を、溝蓋を固定するアンカーボルトと取付用ナットに適用した場合の使用状態の説明図であって、ａは全体上面図、ｂはａのＸ−Ｘ拡大断面図である。
【００１５】
溝蓋１３は、例えば外側の主部材１４とその主部材１４の上下端に固定されたエンドプレート１５とにより外枠１６が構成され、その外枠１６内に所定間隔で配設固定された主部材１４と横部材１７とにより格子状に構成されている。そして、この溝蓋１３は、その４隅に設けた孔を道路等の側溝、暗渠及び集水ますなどのＵ字溝の溝壁１８側に設けられたアンカーボルト１９に挿通させて設置されるとともに、六角穴付き丸ナット２を締付けて固定される。なお、図において、符号２０は主部材１４、１４間の下端に溶接固定された帯鋼製ベースプレート、２１は緩衝用ゴムパッキンである。
【００１６】
上記アンカーボルト１９は、上述のボルト１と同様の構造のもので、円筒部４のネジ部５の先端にはネジ部５の外径より小寸法の円柱状の突起部６が形成されており、六角穴付き丸ナット２は、そのネジ部７をアンカーボルト１９のネジ部５に螺合して取付け、最終的には六角穴８に六角棒レンチ９の先端部１１を嵌入し締め付けられる。なお、突起部６の長さは、特に限定するものではないが、アンカーボルト１９に六角穴付き丸ナット２を螺合して締付けたときに、突起部６の先端面と六角穴８の外表面とが面一となる長さに形成されることが好ましい。
【００１７】
従って、上記のようにして固定された溝蓋１３は、六角棒レンチ９の先端部１１（又は１０）に穴１２が形成されていない従来より汎用されている六角棒レンチでは、突起部６が邪魔になり、六角穴付き丸ナット２の六角穴８に嵌入させることができないため、盗難防止を図ることができる。また、六角穴付き丸ナット２を緩めるといった悪戯などの不正行為を防止できる。また、本例のように、溝蓋１３の主部材１４、１４間の隙間を通してアンカーボルト１９に六角穴付き丸ナット２を取付けるような場合には、六角棒レンチ９の先端部１０、１１は磁石を取付けるなどして磁気を持たせることが好ましく、六角穴付き丸ナット２を落下させることなく取付けがしやすくなる。
【図面の簡単な説明】
【００１８】
【図１】図１は、本発明に係る不正行為防止ボルト・ナットの構造の説明図であって、ａは正面図、ｂは右側面図、ｃは左側面図である。
【図２】本発明に係る不正行為防止ボルト・ナットの構造を、溝蓋を固定するアンカーボルトと取付用ナットに適用した場合の使用状態の説明図であって、ａは全体上面図、ｂはａのＸ−Ｘ拡大断面図である。
【符号の説明】
【００１９】
１：ボルト              ２：六角穴付き丸ナット  ３：頭部
４：円筒部              ５：ネジ部              ６：円柱状の突起部
７：ネジ部              ８：六角穴              ９：六角棒レンチ
１０、１１：先端部      １２：穴                １３：溝蓋
１４：主部材            １５：エンドプレート    １６：外枠
１７：横部材            １８：Ｕ字溝の溝壁      １９：アンカーボルト
２０：帯鋼製ベースプレート                      ２１：緩衝用ゴムパッキン
【図１】
2005330992.tif 000003
【図２】
2005330992.tif 000004